(57)【要約】【課題】  携帯端末で統合閲覧可能なシンジケート型の情報配信システムを提供する。【解決手段】  携帯端末６で読み取り可能な情報格納媒体、コンテンツ及びシンジケート標準データを公開するコンテンツサーバ２、携帯端末６でアクセス可能な管理サーバ４を備えるシンジケート型情報配信システム１であって、情報格納媒体には、シンジケート標準データを識別可能なシンジケート識別情報を格納しておき、管理サーバ４のデータ入手部では、複数のコンテンツサーバ２のシンジケート標準データを入手するようにし、登録管理部では、携帯端末６から送信されるシンジケート識別情報及びこの携帯端末６の端末識別情報に基づいて、閲覧登録を行うようにする。更に、シンジケート変換配信部が、携帯端末６によって閲覧登録がなされた複数のシンジケート標準データを、携帯端末６が統合閲覧可能な端末個別ページに変換して、携帯端末６に配信する。【選択図】図１【特許請求の範囲】
【請求項１】
携帯端末で読み取り可能な情報格納媒体と、
コンテンツを配信すると共に、該コンテンツに関連するシンジケート標準データを公開するコンテンツサーバと、
前記携帯端末でアクセス可能な管理サーバと、を備えるシンジケート型情報配信システムであって、
前記情報格納媒体には、前記シンジケート標準データを識別可能なシンジケート識別情報が格納されており、
前記管理サーバは、
複数の前記コンテンツサーバが提供する前記シンジケート標準データを入手するデータ入手部と、
前記情報格納媒体を読み取った前記携帯端末から送信される前記シンジケート識別情報及び該携帯端末の端末識別情報に基づいて、閲覧登録を行う登録管理部と、
前記携帯端末によって閲覧登録がなされている複数の前記シンジケート標準データを、該携帯端末が統合閲覧可能な端末個別ページに変換して、前記携帯端末に配信するシンジケート変換配信部と、
を有することを特徴とする携帯用シンジケート型情報配信システム。
【請求項２】
請求項１において、
前記情報格納媒体が、画像化情報媒体又はＩＣであることを特徴とする携帯用シンジケート型情報配信システム。
【請求項３】
請求項１又は２において、
前記シンジケート変換配信部が、前記携帯端末毎の閲覧属性に基づいた広告情報を、前記端末個別ページに挿入可能となっていることを特徴とする携帯用シンジケート型情報配信システム。
【請求項４】
請求項３において、
前記閲覧属性として、前記携帯端末毎に集計された前記コンテンツ間の閲覧経路を利用することを特徴とする携帯用シンジケート型情報配信システム。
【請求項５】
請求項１乃至４のいずれかにおいて、
前記情報格納媒体には、該情報格納媒体の配布時に用いられる配布部材に関連する配布側識別情報が格納されると共に、前記閲覧登録管理部には、前記携帯端末から送信された前記配布側識別情報が保存され、
前記シンジケート変換配信部が、前記配布側識別情報の属性に基づいた広告情報を、前記端末個別ページに挿入可能となっていることを特徴とする携帯用シンジケート型情報配信システム。
【請求項６】
請求項５において、
前記配布側識別情報の属性として、前記携帯端末毎に集計された前記配布部材間の移動経路を利用することを特徴とする携帯用シンジケート型情報配信システム。
【請求項７】
請求項１乃至５のいずれかにおいて、
前記情報格納媒体には、所定のキーワード情報が格納されると共に、前記閲覧登録管理部には、前記携帯端末から送信された前記キーワード情報が保持され、
前記シンジケート変換配信部が、前記キーワード情報の属性に基づいた広告情報を、前記端末個別ページに挿入可能となっていることを特徴とする携帯用シンジケート型情報配信システム。
【請求項８】
請求項７において、
前記キーワード情報の属性として、前記携帯端末毎に集計された前記キーワード情報間の遷移特性を利用することを特徴とする携帯用シンジケート型情報配信システム。
【請求項９】
請求項１乃至８のいずれかにおいて、更に、
前記コンテンツサーバと前記携帯端末の間に介在して、該コンテンツサーバが配信する前記コンテンツを携帯端末専用コンテンツに変換するコンテンツ変換サーバを備え、
前記シンジケート変換配信部は、前記端末個別ページにおいて、前記コンテンツに対するアクセスリンクを、前記コンテンツ変換サーバを経由する専用リンクに変換表示するようにしたことを特徴とする携帯用シンジケート型情報配信システム。
【請求項１０】
請求項１乃至９のいずれかにおいて、
前記登録管理部は、前記端末識別情報として、前記携帯端末が前記管理サーバにアクセスする際に該携帯端末から自動送信される機器固有識別情報を用いるようにしたこと特徴とする携帯用シンジケート型情報配信システム。
【請求項１１】
請求項１乃至１０のいずれかにおいて、
前記シンジケート変換配信部は、前記携帯端末による閲覧状況に基づいて、複数の前記シンジケート標準データの表示順を並べ替えて前記端末個別ページを生成、配信するようにしたことを特徴とする携帯用シンジケート型情報配信システム。
【請求項１２】
請求項１乃至１１のいずれかにおいて、前記管理サーバが、更に、
外部から送信される指示情報に基づいて、前記データ入手部の前記シンジケート標準データの内容を書換処理可能な強制更新処理部を備えることを特徴とする携帯用シンジケート型情報配信システム。
【請求項１３】
請求項１２において、
前記強制更新処理部は、電子メール経由の指示情報に基づいて書換処理を行うことを特徴とする携帯用シンジケート型情報配信システム。
【請求項１４】
請求項１乃至１３のいずれかにおいて、
前記シンジケート変換配信部は、パーソナルコンピュータからのアクセスがあった場合に、パーソナルコンピュータ専用の個別ページを生成、配信可能となっていることを特徴とする携帯用シンジケート型情報配信システム。
【請求項１５】
請求項１乃至１４のいずれかにおいて、
前記管理サーバのおける前記登録管理部は、前記閲覧登録が為されている前記携帯端末に対して電子メールを送信可能となっていることを特徴とする携帯用シンジケート型情報配信システム。
【請求項１６】
請求項１５において、
前記登録管理部は、共通のコンテンツを閲覧登録している複数の前記携帯端末に対して、前記電子メールを同報送信可能となっていることを特徴とする携帯用シンジケート型情報配信システム。
【請求項１７】
請求項１６において、
前記登録管理部は、前記シンジケート標準データが更新された際、前記電子メールの同報送信によって更新情報を前記携帯端末に通知可能となっていること特徴とする携帯用シンジケート型情報配信システム。
【請求項１８】
請求項１５、１６又は１７において、前記コンテンツサーバは、
前記コンテンツの登録を受け付けるコンテンツ登録部と、
前記コンテンツ登録部における前記コンテンツの登録と連動して、前記コンテンツを利用したパーソナルコンピュータ向けの配信ページ及び前記携帯端末向けの配信ページを同時生成するページ生成部と、
前記コンテンツ登録部における前記コンテンツ登録と連動して、前記管理サーバに対して前記電子メールの送信指示を出すメール送信指示部と、
を備える事を特徴とする携帯用シンジケート型情報配信システム。
【請求項１９】
請求項１乃至１８において、
前記登録管理部は、特定の前記携帯端末に対応する閲覧登録リストを、該特定の携帯端末の指示に基づいて他の携帯端末に提供可能となっていることを特徴とする携帯用シンジケート型情報配信システム。
【請求項２０】
請求項１乃至１９において、
前記管理サーバは、特定の前記携帯端末に対応する前記端末個別ページ又は閲覧登録リストを、該特定の携帯端末の指示に基づいて他の前記携帯端末に配信可能となっていることを特徴とする携帯用シンジケート型情報配信システム。
【請求項２１】
携帯端末で読み取り可能な情報格納媒体と、
コンテンツを配信するコンテンツサーバと、
前記携帯端末でアクセス可能な管理サーバと、を備えるシンジケート型情報配信システムであって、
前記情報格納媒体には、前記コンテンツサーバのコンテンツ群を識別可能なコンテンツ群識別情報が格納されており、
前記管理サーバは、
複数の前記コンテンツサーバが提供する前記コンテンツ群の主要情報を入手するデータ入手部と、
前記情報格納媒体を読み取った前記携帯端末から送信される前記コンテンツ群識別情報に基づいて前記コンテンツ群の閲覧登録を行う登録管理部と、
前記携帯端末によって閲覧登録がなされている複数の前記コンテンツ群の前記主要情報を、該携帯端末が統合閲覧可能な端末個別ページに変換して、前記携帯端末に配信するシンジケート変換配信部と、
を有することを特徴とする携帯用シンジケート型情報配信システム。
【発明の詳細な説明】
【技術分野】
【０００１】
本発明は、シンジケート標準データを用いた情報配信システムに関するものであり、特に携帯端末等に配信する際に好適な情報配信システムに関する。
【背景技術】
【０００２】
近年、インターネット等を用いてニュース等の各種コンテンツを配信する新方式として、シンジケーション型の配信手法が開発されてきている。このシンジケーション型は、各コンテンツ配信元が、自らの配信情報をシンジケートしてもらうためのシンジケート標準データを公開し、一方で、情報を統合する側（利用者）は、これらのシンジケート標準データを集めることで、複数の配信元の情報を統合的に取り扱うことを可能にするものである。このシンジケート標準データの例として、現在、ＲＳＳ（Ｒｅａｌｌｙ  Ｓｉｍｐｌｅ  Ｓｙｎｄｉｃａｔｉｏｎ／Ｒｉｃｈ  Ｓｉｔｅ  Ｓｕｍｍａｒｙ）ファイルが普及してきている。このＲＳＳファイルは、配信元のＷＥＢページの新着コンテンツに関する要約データ等によって構成されており、例えば、コンテンツ毎に、見出し（タイトル）、概要、著作権、更新日付などさまざまな情報が含められる。このＲＳＳファイルは、ニュースサイトやブログ、求人情報などのように、内容が頻繁に更新されるウエブサイトで用いられている場合が多い。【０００３】
ＲＳＳファイルを個人的に収集して統合的に閲覧するには、ＲＳＳリーダーを用いる必要がある。ＲＳＳリーダーは、複数のＲＳＳファイルを登録することが可能になっている。ＲＳＳリーダーに、お気に入りのコンテンツ配信元のＲＳＳファイルを登録していけば、分散配置されている複数サイトのヘッドラインなどを、ＲＳＳリーダーで統合的に閲覧することができるようになる。具体的に、ＲＳＳリーダーは、定期的に配信元のサーバにアクセスし、新しいＲＳＳファイルを取得する。そして、以前のＲＳＳファイルと比較し、更新された記事を探し出す。ユーザがＲＳＳリーダーの画面を開くと、更新された記事が時間順に表示され、気になった記事をクリックすればその内容が表示される仕組みになっている。【０００４】
なお、現在のＲＳＳファイルはＸＭＬ（ｅＸｔｅｎｓｉｂｌｅ  Ｍａｒｋｕｐ  Ｌａｎｇｕａｇｅ）の形式で記載されているので、ソフトウエアが自動で処理できる形式になっている。従って、ＲＳＳファイルが標準化されていれば、それに対応したＲＳＳリーダーである限り、ＲＳＳファイルとＲＳＳリーダーの互換性を保つ事が出来る。【０００５】
ＲＳＳリーダーには、大別すると、ウエブサイトでサービス提供されるＡＳＰタイプと、ソフトウエアをパソコンに導入することで利用するソフトウエアタイプがある。ＡＳＰタイプは、インターネットの接続環境が整っていれば、どのパソコンからも利用できるため利便性が高いが、インターネット閲覧ソフトによる機能制限を受ける。一方で、ソフトウエアタイプは、高度な機能を組み込むことが可能になる。
【発明の開示】
【発明が解決しようとする課題】
【０００６】
近年、携帯電話等の携帯端末を用いて情報を入手することが一般化してきている。しかしながら、携帯端末専用の情報配信ウエブサイトはインターネット上に分散しているので、各サイトに順番にアクセスしながら情報を閲覧していく必要がある。携帯端末の通信速度や、その端末の処理速度は、現在のパーソナルコンピュータ等と比較して劣っていることから、このようなウエブサーフィンを携帯端末で行うのは、未だに困難な環境であるという問題があった。【０００７】
そこで本発明者らは、携帯端末においても、シンジケーション型の配信手法を用いることを考えた。しかし、現在のＲＳＳファイルの普及状態は、全てパーソナルコンピュータ（ＰＣ）向けになっており、携帯端末ではそのまま利用できないという問題が明らかとなった。例えば、ＲＳＳファイルを登録する際には、予めＲＳＳファイルが公開されているリンク（ＵＲＬ）を入手する必要があるが、そのＲＳＳリンクの公開形態自体もＰＣ向けであるため、携帯端末を用いてＲＳＳリンクをアクセスすること自体が困難であるという問題があった。更に、ＲＳＳリンクをコピーして、携帯端末等に個別に登録するという行為も、操作性に限界のある携帯端末では面倒であるという問題があった。【０００８】
本発明は上記問題点に鑑みてなされたものであり、携帯端末ユーザに対して、極めて容易に、且つ利便性の高い状態でシンジケーション型の情報配信を可能にするシステムを提供することを目的としている。
【課題を解決するための手段】
【０００９】
上記目的は、以下の手段によって達成されるものである。【００１０】
（１）携帯端末で読み取り可能な情報格納媒体と、コンテンツを配信すると共に、該コンテンツに関連するシンジケート標準データを公開するコンテンツサーバと、前記携帯端末でアクセス可能な管理サーバと、を備えるシンジケート型情報配信システムであって、前記情報格納媒体には、前記シンジケート標準データを識別可能なシンジケート識別情報が格納されており、前記管理サーバは、複数の前記コンテンツサーバが提供する前記シンジケート標準データを入手するデータ入手部と、前記情報格納媒体を読み取った前記携帯端末から送信される前記シンジケート識別情報及び該携帯端末の端末識別情報に基づいて、閲覧登録を行う登録管理部と、前記携帯端末によって閲覧登録がなされている複数の前記シンジケート標準データを、該携帯端末が統合閲覧可能な端末個別ページに変換して、前記携帯端末に配信するシンジケート変換配信部と、を有することを特徴とする携帯用シンジケート型情報配信システム。【００１１】
（２）上記（１）において、前記情報格納媒体が、画像化情報媒体又はＩＣであることを特徴とする携帯用シンジケート型情報配信システム。【００１２】
（３）上記（１）又は（２）において、前記シンジケート変換配信部が、前記携帯端末毎の閲覧属性に基づいた広告情報を、前記端末個別ページに挿入可能となっていることを特徴とする携帯用シンジケート型情報配信システム。【００１３】
（４）上記（３）において、前記閲覧属性として、前記携帯端末毎に集計された前記コンテンツ間の閲覧経路を利用することを特徴とする携帯用シンジケート型情報配信システム。【００１４】
（５）上記（１）乃至（４）のいずれかにおいて、前記情報格納媒体には、該情報格納媒体の配布時に用いられる配布部材に関連する配布側識別情報が格納されると共に、前記閲覧登録管理部には、前記携帯端末から送信された前記配布側識別情報が保存され、前記シンジケート変換配信部が、前記配布側識別情報の属性に基づいた広告情報を、前記端末個別ページに挿入可能となっていることを特徴とする携帯用シンジケート型情報配信システム。【００１５】
（６）上記（５）において、前記配布側識別情報の属性として、前記携帯端末毎に集計された前記配布部材間の移動経路を利用することを特徴とする携帯用シンジケート型情報配信システム。【００１６】
（７）上記（１）乃至（５）のいずれかにおいて、前記情報格納媒体には、所定のキーワード情報が格納されると共に、前記閲覧登録管理部には、前記携帯端末から送信された前記キーワード情報が保持され、前記シンジケート変換配信部が、前記キーワード情報の属性に基づいた広告情報を、前記端末個別ページに挿入可能となっていることを特徴とする携帯用シンジケート型情報配信システム。【００１７】
（８）上記（７）において、前記キーワード情報の属性として、前記携帯端末毎に集計された前記キーワード情報間の遷移特性を利用することを特徴とする携帯用シンジケート型情報配信システム。【００１８】
（９）上記（１）乃至（８）のいずれかにおいて、更に、前記コンテンツサーバと前記携帯端末の間に介在して、該コンテンツサーバが配信する前記コンテンツを携帯端末専用コンテンツに変換するコンテンツ変換サーバを備え、前記シンジケート変換配信部は、前記端末個別ページにおいて、前記コンテンツに対するアクセスリンクを、前記コンテンツ変換サーバを経由する専用リンクに変換表示するようにしたことを特徴とする携帯用シンジケート型情報配信システム。【００１９】
（１０）上記（１）乃至（９）のいずれかにおいて、前記登録管理部は、前記端末識別情報として、前記携帯端末が前記管理サーバにアクセスする際に該携帯端末から自動送信される機器固有識別情報を用いるようにしたこと特徴とする携帯用シンジケート型情報配信システム。【００２０】
（１１）上記（１）乃至（１０）のいずれかにおいて、前記シンジケート変換配信部は、前記携帯端末による閲覧状況に基づいて、複数の前記シンジケート標準データの表示順を並べ替えて前記端末個別ページを生成、配信するようにしたことを特徴とする携帯用シンジケート型情報配信システム。【００２１】
（１２）上記（１）乃至（１１）のいずれかにおいて、前記管理サーバが、更に、外部から送信される指示情報に基づいて、前記データ入手部の前記シンジケート標準データの内容を書換処理可能な強制更新処理部を備えることを特徴とする携帯用シンジケート型情報配信システム。【００２２】
（１３）上記（１２）において、前記強制更新処理部は、電子メール経由の指示情報に基づいて書換処理を行うことを特徴とする携帯用シンジケート型情報配信システム。【００２３】
（１４）上記（１）乃至（１３）のいずれかにおいて、前記シンジケート変換配信部は、パーソナルコンピュータからのアクセスがあった場合に、パーソナルコンピュータ専用の個別ページを生成、配信可能となっていることを特徴とする携帯用シンジケート型情報配信システム。【００２４】
（１５）上記（１）乃至（１４）のいずれかにおいて、前記管理サーバのおける前記登録管理部は、前記閲覧登録が為されている前記携帯端末に対して電子メールを送信可能となっていることを特徴とする携帯用シンジケート型情報配信システム。【００２５】
（１６）上記（１５）において、前記登録管理部は、共通のコンテンツを閲覧登録している複数の前記携帯端末に対して、前記電子メールを同報送信可能となっていることを特徴とする携帯用シンジケート型情報配信システム。【００２６】
（１７）上記（１６）において、前記登録管理部は、前記シンジケート標準データが更新された際、前記電子メールの同報送信によって更新情報を前記携帯端末に通知可能となっていること特徴とする携帯用シンジケート型情報配信システム。【００２７】
（１８）上記（１５）、（１６）又は（１７）において、前記コンテンツサーバは、前記コンテンツの登録を受け付けるコンテンツ登録部と、前記コンテンツ登録部における前記コンテンツの登録と連動して、前記コンテンツを利用したパーソナルコンピュータ向けの配信ページ及び前記携帯端末向けの配信ページを同時生成するページ生成部と、前記コンテンツ登録部における前記コンテンツ登録と連動して、前記管理サーバに対して前記電子メールの送信指示を出すメール送信指示部と、を備える事を特徴とする携帯用シンジケート型情報配信システム。【００２８】
（１９）上記（１）乃至（１８）において、前記登録管理部は、特定の前記携帯端末に対応する閲覧登録リストを、該特定の携帯端末の指示に基づいて他の携帯端末に提供可能となっていることを特徴とする携帯用シンジケート型情報配信システム。【００２９】
（２０）上記（１）乃至（１９）において、前記管理サーバは、特定の前記携帯端末に対応する前記端末個別ページ又は閲覧登録リストを、該特定の携帯端末の指示に基づいて他の前記携帯端末に配信可能となっていることを特徴とする携帯用シンジケート型情報配信システム。【００３０】
（２１）携帯端末で読み取り可能な情報格納媒体と、コンテンツを配信するコンテンツサーバと、前記携帯端末でアクセス可能な管理サーバと、を備えるシンジケート型情報配信システムであって、前記情報格納媒体には、前記コンテンツサーバのコンテンツ群を識別可能なコンテンツ群識別情報が格納されており、前記管理サーバは、複数の前記コンテンツサーバが提供する前記コンテンツ群の主要情報を入手するデータ入手部と、前記情報格納媒体を読み取った前記携帯端末から送信される前記コンテンツ群識別情報に基づいて前記コンテンツ群の閲覧登録を行う登録管理部と、前記携帯端末によって閲覧登録がなされている複数の前記コンテンツ群の前記主要情報を、該携帯端末が統合閲覧可能な端末個別ページに変換して、前記携帯端末に配信するシンジケート変換配信部と、を有することを特徴とする携帯用シンジケート型情報配信システム。
【発明の効果】
【００３１】
本発明によれば、携帯端末を用いて、シンジケート形式によって各種分散情報を効率的に入手できるという優れた効果を奏し得る。
【発明を実施するための最良の形態】
【００３２】
以下、図面を参照しながら本発明の実施の形態について詳細に説明する。【００３３】
この携帯用シンジケート型情報配信システム（以下、配信システム）１は、ハードウエア構成として、コンテンツサーバ２、管理サーバ４、携帯電話６、コンテンツ変換サーバ７を備える。コンテンツサーバ２は、コンテンツ配信者によって運営されており、各種コンテンツを配信すると共に、このコンテンツ配信と連動するシンジケート標準データを、公衆通信回線網を通じて公開している。管理サーバ４は、携帯電話６からアクセス可能となっており、コンテンツサーバ２と携帯電話６の間に介在して様々な情報処理を行う。コンテンツ変換サーバ７は、コンテンツサーバ２と携帯電話６の間に介在しており、コンテンツサーバ２のＰＣ専用コンテンツを、携帯電話６が受信可能な形式に変換して、携帯電話６に配信する機能を有している。【００３４】
図２に示されるように、コンテンツサーバ２で公開されるシンジケート標準データ８はいわゆるＲＳＳデータであり、コンテンツサーバ２で配信される新着コンテンツと連動したコンテンツのタイトル８Ａ、要約８Ｂ、コンテンツへのリンクＵＲＬ８Ｃ等がＸＭＬ形式でリスト化されている。なお、これらはＸＭＬ形式であることから、目的に応じてコンテンツ作成者や、配信時刻、記事カテゴリなど、各種項目を自由に挿入できる。シンジケート標準データ８は、コンテンツサーバ２のコンテンツ配信と連動して、自動的に更新されているので、このシンジケート標準データ８を定期的にチェックすれば、このコンテンツサーバ２のコンテンツの新着更新状況を確認できる。【００３５】
管理サーバ４は、図３に示されるように、制御部１１、記憶部１２、表示部１３、操作部１４、通信インタフェース１５を備えており、これらは信号をやり取りするためのバス１６を介して相互接続されている。制御部１１はＣＰＵであり、プログラムにしたがって各種制御や演算処理等を行って目的の機能を実現する。記憶部１２は、基本動作を制御する各種プログラムやパラメータを格納するＲＯＭ、作業領域として一時的にプログラムやデータを記憶するＲＡＭ、データベース等として機能するハードディスク等からなる。表示部１３は、液晶ディスプレイやＣＲＴディスプレイ等からなり、メンテナンス時等に各種画像情報を表示する。操作部１４はキーボード等からなり、各種命令やデータを入力する。通信インタフェース１５は、ＬＡＮ等を経由してインターネット網等に接続され、携帯電話６、パーソナルコンピュータ（ＰＣ）、サーバとの通信を行うためのインタフェースである。なお、これらの通信時のネットワークの種類は問わないが、例えば、電話網、移動通信網、ＩＳＤＮ、パケット交換網等の公衆網、およびＬＡＮ、ＷＡＮ、インターネット等のコンピュータネットワーク等を利用できる。【００３６】
この配信システム１のソフトウエアを含めた機能構成としては、図４に示されるように、携帯電話６によるスキャン読み込みが可能な２次元コード２０と、この２次元コード２０を配布する雑誌２２と、データ入手部２４と、登録管理部２５と、シンジケート変換配信部２６と、広告挿入モジュール２６Ａと、表示修正モジュール２６Ｂと、ＰＣ画面変更モジュール２６Ｃと、強制更新処理部４０等を備える。なお、データ入手部２４、登録管理部２５、シンジケート変換配信部２６等は、管理サーバ４において所定のプログラムを実行することによって実現されるものである。【００３７】
２次元コード２０は、複数の文字情報等を画像として格納できるものである。従って、２次元コード２０を携帯電話６の内蔵カメラでスキャンすると、コード解析用アプリケーションによってスキャン画像が解析され、格納情報を認識できる。この格納情報の指示に基づいて、携帯電話６のメール発信アプリケーションやインターネットアクセスプログラム等が起動され、所定の処理動作を実行可能になっている。例えば、本実施形態の２次元コード２０には、図５に示されるように、複数のシンジケート標準データ８を識別するためのシンジケート識別情報２０Ａ、シンジケート識別情報を管理サーバ４に送信するためのＵＲＬ情報２０Ｂ、２次元コード２０が配布された雑誌媒体に関係する配布側識別情報２０Ｃ、２次元コード２０自体を識別するコード管理情報２０Ｄ等が格納されている。シンジケート識別情報２０Ａは、後述するデータ入手部２４に予め登録されているシンジケート入手アクセス先（ＵＲＬ）リストの各ＵＲＬに割り振られた管理ＩＤとなっている。【００３８】
配布側識別情報２０Ｃは、２次元コード２０が配布された雑誌２２、その雑誌２２の中のページ、そのページ中の貼り付け位置等を識別するための情報や、また、その配布側の環境（即ち２次元コード２０の周囲の環境）をキーワード化した情報等が含まれている。例えば、配布側識別情報２０Ｃに、雑誌２２を識別するための管理ＩＤを含めても良く、又、レストラン紹介雑誌の高級中華料理紹介ページに表示される２次元コード２０には、配布側識別情報２０Ｃとして「レストラン」「中華」「高級」等のキーワードを格納しておくようにしてもよい。これらの情報によって、携帯電話６のユーザの嗜好属性が、シンジケート標準データ８の内容からではなく、オフラインであるスキャン環境に基づいて入手することが可能になる。【００３９】
コード管理番号２０Ｄは、２次元コード２０自体を識別するものであり、例えば、どの発行者によって発行された２次元コード２０であるかを特定できるようにして、アフィリエイトシステム等による課金プログラムに用いることを可能にする。例えば、２次元コード２０のスキャン行為自体や、この２次元コード２０に基づくシンジケート標準データ８を経由した行為（例えばショッピング行為）に応じて、コンテンツサーバ２の運営者に対して課金情報を生成し、対応する発行者にその課金の一部をキャッシュバックすることも可能になる。つまり、シンジケート標準データ８自体に登録アフィリエイトＩＤを付与することを可能にする。【００４０】
以上のことから、同一のシンジケート標準データ８を閲覧するための２次元コード２０であっても、コードの発行者や、配布雑誌２２の属性等によって、含まれる情報は異なってくる。この２次元コード２０を携帯電話６でスキャンすると、携帯電話６が管理サーバ４にアクセスし、これらの各種情報が管理サーバ４に送信する。【００４１】
図４に戻って、データ入手部２４は、予め保持しているシンジケート入手アクセス先リスト２８に基づいて、複数のコンテンツサーバ２に定期的にアクセスして、このコンテンツサーバ２が提供するシンジケート標準データ８を入手する。このシンジケート入手アクセス先リストを生成する際は、管理サーバ４の運営者が登録していくようにしても良く、又コンテンツサーバ２の運営者側がこのデータ入手部２４にアクセスして、自身が配信しているシンジケート標準データ８の入手アクセス先（ＵＲＬ）を登録していくようにしても良い。更に、所定のロボットプログラムによって、インターネット環境上で公開されているシンジケート標準データ８を自動収集してリスト化しても良い。ここでは、コンテンツサーバ２の運営者によって登録させるようにしており、その際に、ＰＲタイトルやＰＲ記事を入力させ、更に登録カテゴリを選択させるようにしている。これによって、データ入手部２４には、複数のシンジケート標準データ８が蓄積されることになる。更に、このデータ入手部２４は、図６に示されるように、この登録されたシンジケート入手アクセス先リスト２８を利用して生成された閲覧申込画面５０を、携帯電話６に対して配信可能となっている。この閲覧申込画面５０は、ここでは大カテゴリ、小カテゴリ、シンジケート入手ボタン３階層となっている。携帯電話６のユーザが、このシンジケート入手ボタン（登録ボタン）を押すことによって、後述する登録管理部２５が起動して閲覧申込が完了するようになっている。【００４２】
登録管理部２５は、２次元コード２０を読み取った携帯電話６のアクセスによって、その２次元コード２０に格納される各種情報を入手すると共に、この携帯電話６の端末識別情報を入手する。ここでは端末識別情報として、携帯電話６が登録管理部２５に対してＵＲＬリクエストを送信する際に自動的に含められる端末機器固有識別情報を用いるようにしている。この端末機器固有識別情報は、携帯電話６の製造業者又は携帯電話キャリア業者が携帯電話機器を管理するために機器単位に割り振っている番号である。従って、携帯電話６のユーザにＩＤ等を入力させることなく、自動的に携帯電話６を識別可能となっている。なお、固有の識別番号が付与されたカードや半導体チップ等の記憶媒体又はＣＰＵ媒体を、携帯電話６等の端末に別途組み込む事で、この識別番号を携帯電話６の端末識別情報として利用する事も可能である。具体例としてはＳＩＭカード、ＵＩＭカード等が存在する。【００４３】
シンジケート識別情報２０Ａ及び端末識別情報等を入手した登録管理部２５は、端末識別情報に基づいて、このシンジケート識別情報２０Ａを閲覧登録していくことで、携帯電話６（ユーザ）毎のシンジケート識別情報リスト（いわゆるお気に入りリスト）３０が形成される。また、このシンジケート識別情報リスト３０に加えて、配布側識別情報２０Ｃも保存されており、雑誌２２等を含め、どのような紙面に興味を持っているかというユーザ属性を把握可能となっている。【００４４】
更にこの登録管理部２５は、携帯電話６の電子メールアドレスの登録を受け付けることが可能である。この結果、登録管理部２５から携帯電話６に対して電子メールを送信可能となっている。特にここでは、同じシンジケート標準データ８を閲覧登録している複数の携帯電話６に対して、電子メールを同報送信可能としている。従って、コンテンツサーバ２の運営者は、自ら公開するシンジケート識別情報２０Ａを閲覧登録している者に対して、メールマガジンを送付することも可能である。また同様に、コンテンツサーバ２の運営者が、自ら公開するシンジケート標準データを更新した際、登録管理部２５が、電子メールの同報送信によって当該更新情報を携帯電話６に自動的に通知可能となっている。このようにすることで、携帯電話６が管理サーバ４にアクセスしなくても、コンテンツの更新情報を電子メールで入手することができるようになる。【００４５】
なお、既にデータ入手部２４で説明したように、オンライン上の閲覧申込画面５０を経由して、閲覧登録することも可能である。閲覧申込画面５０の閲覧申込ボタンと、２次元コード２０のスキャン行為は略同様の意義を有していることになる。【００４６】
シンジケート変換配信部２６は、携帯電話６のユーザ毎に生成されているシンジケート識別情報リスト３０に基づいて、それに対応するシンジケート標準データ８をデータ入手部２４から取り出し、端末個別ページ（マイページ）３２に変換して携帯電話６に配信する。その際に、このシンジケート変換配信部２６における広告挿入モジュール２６Ａは、端末個別ページ３２に含まれる文字情報に基づいた閲覧属性と関連の深い広告を、この端末個別ページ３２に挿入可能となっている。この広告の形態は、バナーリンクやテキストリンクのような状態でも良く、また広告専用のシンジケート標準データを生成して、他のシンジケート標準データと混在させた状態で閲覧させるようにしても良い。【００４７】
なお、閲覧属性として、携帯電話６の端末識別情報毎に集計されたコンテンツ間の閲覧経路を利用することもできる。例えば、携帯電話６が順番に複数のシンジケート標準データ８を閲覧した場合、シンジケート変換配信部２６がこの閲覧履歴を蓄積しておくようにする。そして、この閲覧履歴に基づいて携帯電話６の閲覧経路（移動経路）を解析し、その属性に関連の深い広告を携帯電話６に配信する。この結果、複数のシンジケート標準データ８を参考にし、且つ経時的な嗜好変化を考慮して、携帯電話６のユーザの好みにあわせた広告を挿入することができるようになる。【００４８】
更に、この広告挿入モジュール２６Ａは、登録管理部２５における携帯電話６のユーザ毎に保存されている配布側識別情報２０Ｃを参照して、例えば配布部材となる雑誌２２に関連する広告を挿入可能となっている。従って、端末個別ページ３２に実際に表示されている情報だけではなく、過去に読んだ雑誌２２等の属性に基づいて広告が表示されるので、インパクトの強い潜在的ニーズに沿った広告を挿入できるようになる。【００４９】
なお、配布側識別情報の属性として、携帯電話６の端末識別情報毎に集計された雑誌２２間の移動経路を利用することも可能である。例えば、携帯電話６が順番に複数の雑誌２２を閲覧した場合、シンジケート変換配信部２６がこの雑誌２２の移動履歴を蓄積しておく。これにより、複数の雑誌２２の移動経路に関連の深い広告を携帯電話６に配信することができる。例えば、サッカー雑誌Ａ→サッカー雑誌Ｂ→サッカー雑誌Ｃという移動履歴が蓄積された場合には、新たなサッカー雑誌Ｄに関する広告を携帯電話６に配信することもできる。つまり、複数の雑誌２２を参考にし、且つ経時的な嗜好変化を考慮して、携帯電話６のユーザの好みにあわせた広告を挿入することができるようになる。【００５０】
また、この広告挿入モジュール２６Ａは、２次元コード２０に格納されたキーワードの属性に関連する広告を挿入可能となっている。従って、端末個別ページ３２に実際に表示されている情報だけではなく、何らかの意味合いを込めて２次元コード２０に格納させたキーワード属性に基づいて広告が表示されるので、インパクトの強い潜在的ニーズに沿った広告を挿入できるようになる。【００５１】
特に、キーワード情報の属性として、携帯電話６の端末識別情報毎に集計された、複数のキーワード間の遷移特性を利用することもできる。例えば、キーワードとして、靴→鞄→アクセサリー、という遷移特性があった場合には、例えば服飾に関連する帽子の広告を挿入することが可能になる。【００５２】
シンジケート変換配信部２６の表示修正モジュール２６Ｂは、携帯電話６による端末個別ページ３２の閲覧状況をログ収集し、このログに基づいて、複数のシンジケート標準データ８の表示順や、その中のコンテンツタイトルの表示順等を自動的に並べ替えるようにして、端末個別ページ３２の利便性を高めるようにしている。このようにすることで、閲覧回数の多いシンジケート標準データ８が自然に上位に表示されるようになる。例えば、１ヶ月以上閲覧していないシンジケート標準データ８については自動的に閲覧解除して、常に端末個別ページ３２を新鮮な状態にすることも可能になる。【００５３】
更にシンジケート変換配信部２６のＰＣ画面変更モジュール２６Ｃは、携帯電話６の閲覧登録によって構成された端末個別ページ３２を、ＰＣ専用個別ページに変換して配信する。具体的には、携帯電話６からＰＣ画面変更モジュール２６Ｃに対して、変換用ＩＤ及びパスワードを送信すると、このＰＣ画面変更モジュール２６Ｃが、このＩＤ及びパスワードの保有者のみが閲覧可能なＰＣ専用個別ページを生成する。このＰＣ専用個別ページを用いれば、携帯電話６を用いて２次元コード２０のスキャン行為を活用して生成したお気に入りのシンジケート標準データ８を、ＰＣによって閲覧することが可能になる。更にＰＣ専用個別ページにおいて、新たなシンジケート標準データ８を追加していけば、端末個別ページ３２にもその追加が反映されるようになっている。【００５４】
なお、本実施形態では、新たなシンジケート標準データ８が複数のユーザによって追加される度に、登録管理部２５とデータ入手部２４が連動し、閲覧申込画面５０にも、そのシンジケート標準データ８が追加されるようになっている。つまり、ユーザの新規登録行為が、閲覧申込可能なリストの補充行為となっている。【００５５】
シンジケート変換配信部２６の基本動作ステップは、図７に示されるように、まず携帯電話６からの閲覧ＵＲＬのアクセスを受け付け（ステップ１００）、そのＵＲＬリクエストに含まれる端末機器固有識別情報を自動的に入手し（ステップ１０２）、次に、その端末機器固有識別情報に基づいて携帯電話６毎のシンジケート識別情報リスト３０を登録管理部２５から取り出し（ステップ１０４）、その後に、データ入手部２４から、このシンジケート識別情報リスト３０に対応するシンジケート標準データ８を入手し（ステップ１０６）、複数のシンジケート標準データ８に基づいて、携帯電話６が閲覧可能な端末個別ページ３２を生成する（ステップ１０８）。その後、広告挿入モジュール２６Ａが、この生成された端末個別ページ３２のテキスト情報に関連の深い広告や、ユーザの配布側識別情報２０Ｃに関連の深い広告を、端末個別ページ３２に挿入し（ステップ１１０）、最終的に携帯電話６に配信して完了する（ステップ１１２）。【００５６】
このシンジケート変換配信部２６では、携帯電話６の端末機器固有識別情報を用いて、配信する端末個別ページ３２を自動的に切り替えているので、この閲覧専用ＵＲＬは、全ての携帯電話６で共通化することが可能になる。従って、メディア等で閲覧ＵＲＬを告知する際に大変便利である。なお、ここでは携帯電話６からのアクセスに基づいて端末個別ページ３２を配信する場合を示しているが、１日１度等の定期的なメール配信によって端末個別ページ３２を送付しても良い。【００５７】
図８には、端末個別ページ３２のサンプル画面が示されている。この端末個別ページ３２は、トップページに、閲覧登録した複数のシンジケート標準データ８（ここではＡ、Ｂ、Ｃの三種類）の各トップコンテンツのタイトル３４がリスト表示されている。なお、このトップページには、既に図６で説明した閲覧申込画面５０に対するリンクも設定されており、必要なシンジケート標準データ８をいつでも追加できるようにしている。トップページにおけるトップコンテンツのタイトル３４を選択すると、その下位リンクとして、対応するシンジケート標準データ８（ここではＡ）の全コンテンツのタイトル３４（ここでは（１）〜（４）の４種類のコンテンツ）がリスト表示され、その各タイトル３４を選択すると、要約３６、関連画像３８、詳細ジャンプボタン３９が表示される。そして、この要約３６に対応する全文記事を見たい場合には、この詳細ジャンプボタン３９をクリックすることで、コンテンツ変換サーバ７経由で各コンテンツサーバ２の全文記事にアクセス可能となっている。つまり、管理サーバ４におけるシンジケート変換配信部２６は、シンジケート標準データ８に含まれるリンクＵＲＬ８Ｃを、コンテンツ変換サーバ７を経由してコンテンツサーバ２にアクセスするような専用リンクに変換した状態で、端末個別ページ３２に表示するようにしている。この結果、コンテンツ変換サーバ７は、携帯電話６に代行してコンテンツサーバ２にアクセスして必要なコンテンツを入手し、携帯電話６で閲覧可能な形式に変換して携帯電話６に配信する。【００５８】
この端末個別ページ３２に含まれるシンジケート標準データ８は、既に述べたように登録管理部２５に蓄積されたシンジケート識別情報リスト３０に基づいている。そこで本実施形態では、この登録管理部２５が、特定の携帯電話６に対応するシンジケート識別情報リスト３０を、他の携帯電話６に提供（転送）できるようになっている。具体的に例えば、特定の携帯電話６が登録管理部２５に対して転送用ＩＤを登録すると共に、その転送用ＩＤを他の携帯電話６のユーザに知らせる。他の携帯電話６のユーザは、管理サーバ４にアクセスして、登録管理部２５に対して上記転送用ＩＤを送信して転送要求を行う。その結果、登録管理部２５は、転送用ＩＤを設定した特定の携帯電話６によって登録されたシンジケート識別情報リスト３０を、他の携帯電話６のシンジケート識別情報リスト３０に追加する。この結果、他の携帯電話６のユーザが、管理サーバ４にアクセスして端末個別ページ３２を閲覧した際、新たに追加されたシンジケート識別情報に関するシンジケート標準データ８も同時に閲覧できるようになる。このようにすることで、自分のお気に入りの端末個別ページ３２を他人にプレゼントすることができる。【００５９】
また、上記のように転送作業によって自動的に特定のシンジケート識別情報リスト３０を他のシンジケート識別情報リスト３０に追加登録する手法以外に、例えば、特定の携帯電話６の要求に応じて、その端末個別ページ３２を他の携帯電話６に仮配信してもよい。他の携帯電話６のユーザは、仮配信を受けたこの端末個別ページ６を閲覧しながら、自分の好みに応じて個別に閲覧登録を行うようにする。この場合、上記と同様に転送用ＩＤを利用しても良いが、例えば、特定の携帯電話６の要求に応じて、転送用ＵＲＬを他の携帯電話６に対して電子メールによって配信し、この転送用ＵＲＬを利用して他の携帯電話６が管理サーバ４にアクセスした際に、端末個別ページ３２を転送配信するようにしてもよい。また、端末個別ページ３２そのものではなく、閲覧登録をしているコンテンツリストを配信するようにしてもよい。【００６０】
次に、強制更新処理部４０について説明する。この強制更新処理部４０は、インターネット等の通信回線を介した外部指示に基づいて、登録されているシンジケート標準データ８の内容を書き換えるものである。具体的に強制更新処理部４０は、図９に示されるような強制更新画面４２をＰＣや携帯端末に配信する。利用者は、この強制更新画面にログインする事で、予めデータ入手部２４に格納されている自らのシンジケート標準データ８を書き換える。ここでは、強制更新画面４２を介して、タイトル、要約、画像、詳細リンクの更新が可能となっている。なお、初回は、シンジケート標準データ８が存在しないので、この強制更新画面４２によって新たなシンジケート標準データ８を生成する。【００６１】
この強制更新処理部４０を用いれば、自らコンテンツサーバ２を保有していないような場合であっても、シンジケート標準データ８のみを用いて携帯電話６等に情報配信できる。例えば、レストラン等における割引クーポン等は、タイトル、要約記事、クーポン画像等で構成される事から、このシンジケート標準データ８のみで十分に情報を完結させる事が出来る。従って、自らのサーバ等によって情報配信しなくても、シンジケート標準データ８を有効活用して広告宣伝活動が可能になる。なお、ここでは強制更新画面４２を用いた更新に限って示したが、本発明はそれに限定されず、所定のフォーマットに従った内容の電子メール等を用いて管理サーバ４に配信する事で、自らのシンジケート標準データを更新可能にしても良い。【００６２】
また、ここでは特に図示しないが、コンテンツサーバ２は、コンテンツ登録部、ページ生成部、メール送信指示部を備えることが好ましい。コンテンツ登録部は、運営者からのアクセスによって、新規コンテンツをインターネット等を経由して受け付ける。ページ生成部は、コンテンツ登録部によるコンテンツの登録と連動して、このコンテンツを利用したＰＣ向けの配信ページ及び携帯電話６向けの配信ページを同時に生成する。また、メール送信指示部は、コンテンツ登録部におけるコンテンツ登録と連動して、管理サーバ４の登録管理部２５に対して電子メールの送信指示を出す。このように構成することで、運営者による一度のコンテンツ登録作業のみで、ＰＣ専用コンテンツと携帯電話専用コンテンツを同時生成することが可能となり、更に、その新規コンテンツ自体を、管理サーバ４経由で閲覧者に対して電子メールで送信することも可能となる。また、この構成によれば、携帯電話６向けの専用コンテンツも用意されるので、管理サーバ４におけるＰＣ画面変更モジュール２６Ｃが不要となり、管理サーバ４の負荷を軽減することが可能となる。【００６３】
本実施形態の配信システム１によれば、携帯電話６であっても、既存のＰＣ向けのシンジケート標準データ８を活用してコンテンツの閲覧が可能になる。特に、シンジケート標準データ８を識別するための識別情報を２次元コード２０に格納しておく事で、スキャン行為によって極めて簡単に閲覧登録することができるので、雑誌の各企業の紹介ページや、通信販売雑誌の各商品に対して２次元コード２０を印刷しておき、携帯電話６側でシンジケート標準データ８を入手していくことで、お気に入りの情報リストを、コンテンツサーバ５２の垣根を越えて、１つのページに構築する事が可能になる。【００６４】
例えば、商品情報については、値段や在庫状態等が変動するのが一般的である。従来は、分散している各コンテンツサーバ２に毎回アクセスして、現在の値段や在庫情報を入手する必要があったが、このようにシンジケート標準データを用いる事で、各種商品のリアルタイムの情報を入手する事が可能になり、且つそのシンジケート標準データ８を経由して各コンテンツサーバ２に移動して、商品の購入手続等を行う事が可能になっている。【００６５】
この際、既に示したように、本実施形態では２次元コード２０のそれ自体を識別可能な情報も保持させる事が出来るので、どの雑誌２２を経由して商品購入に至ったか等、オフライン状態の状態を加味した成果報酬型課金を実行する事も出来る。【００６６】
また、本実施形態ではシンジケート標準データ８を識別するためのＩＤを２次元コード２０に格納しているので、シンジケート標準データ８の公開ＵＲＬと比較して、その情報量が大幅に軽減されている。従って、２次元コード２０の情報量が軽減されるので、読み取り精度を高めることが可能になる。【００６７】
更に本実施形態では、端末個別ページ３２に対して広告情報を挿入可能となっている。その際に、端末個別ページ３２の構成状況等を参考にして、携帯電話６のユーザの好みに応じた広告を配信できるので、広告効果を高める事が可能になる。また、２次元コード２０に設定されている嗜好等を、広告配信の参考情報として活用できるので、より潜在的な好みに沿った広告配信も可能となる。【００６８】
また、本実施形態では、ＰＣ向けに作成されているシンジケート標準データ８を用いることが可能となっており、詳細情報を閲覧する際には、コンテンツ変換サーバ７を介してコンテンツサーバ８にアクセスするようにしている。従って、ＰＣ専用のコンテンツサーバ２であっても、形式やデータ量の相違から携帯電話６側で閲覧が拒否されてしまうことを回避でき、ＰＣと携帯端末の相違を意識すること無くコンテンツを閲覧する事が可能になる。【００６９】
更に、本実施形態では、携帯電話６を識別するために、機器固有識別情報を利用しているので、携帯電話６からのＵＲＬリクエストによって、瞬時に端末を識別する事が出来る。この結果、読み込み行為を介した１回のアクセスによって、閲覧登録や端末個別ページの配信等が可能になり、通信速度や処理速度の遅い携帯端末では特に利便性を高める事が出来る。また、強制更新処理部４０によって、管理サーバ３側のみでシンジケート標準データ８の運用が可能となるので、強制更新処理部４０の用いる事によるシンジケート標準データ８を利用したクーポンの配信や、商品情報の配信等が可能となり、このシンジケート標準データ８を経由した決済も可能となる。例えば、１商品毎に１つのシンジケート標準データを生成しておけば、商品価格の変更等について柔軟に対応できるようになる。【００７０】
なお、上記実施形態では、複数のコンテンツサーバ２においてコンテンツ及びシンジケート標準データ８が分散配置され、この複数のシンジケート標準データ８を管理サーバ４によって集中管理する場合を示したが、本発明はそれに限定されない。例えば一つのコンテンツサーバ２が、複数の管理者によって夫々運営される複数のコンテンツ群を配信する場合も考えられる。また、管理サーバ４とコンテンツサーバ２が一体化或いはシステム上で連携可能とし、管理サーバ４がコンテンツサーバ２にアクセスして、自らシンジケート標準データに類似するようなコンテンツ群の主要情報を収集・生成することも可能である。この場合、２次元コード等の情報格納媒体には、シンジケート識別情報に代えて、上記コンテンツ群を識別するためのコンテンツ群識別情報を格納しておくようにする。携帯電話６を通じてこのコンテンツ群識別情報が管理サーバ４に配信された際、登録管理部２５はそのコンテンツ群識別情報を携帯電話６の端末識別情報に対応させて登録しておく。管理サーバ４のデータ入手部２４は、このコンテンツ群識別情報に基づいて特定のコンテンツ群に直接アクセスし、更新情報等を含む主要情報を自ら収集・生成する。シンジケート変換配信部２６では、複数のコンテンツ群から収集したこの主要情報を、携帯電話６によって統合閲覧可能な端末個別ページに変換して、この携帯電話６に配信するようにする。【００７１】
以上の構成によっても、データ入手部２４が、端末識別情報毎のコンテンツ群識別情報リストに基づいて、シンジケート標準データの代わりとなる主要情報を自ら収集・生成することができる。従って、複数のコンテンツ群を好みに応じて閲覧登録する事が可能となり、また、携帯電話６に過大な負荷を生じさせることなく、複数のコンテンツ群を効率よく閲覧することが可能になる。勿論、端末個別ページに広告を挿入したり、携帯電話６に電子メールを同報配信したり、端末個別ページを他の携帯電話６に転送することも可能である。【００７２】
以上、本発明の実施形態では、携帯端末で読み取り可能な情報格納媒体として、２次元コード等の画像化媒体を用いるようしているが、本発明はそれに限定されず、例えばＩＣタグ等の回路媒体を用いるようにしてもよく、また、音声を携帯電話に読み込ませて認識させるような音声媒体や、赤外線通信を用いた通信媒体を用いても良い。更に情報格納媒体に格納されるシンジケート識別情報は、ＩＤに限定される物ではなく、配信元の公開ＵＲＬを識別情報として直接利用しても構わない。【００７３】
また、本実施形態では、ＰＣ向けのシンジケート標準データを利用する場合を主に示したが、本発明はそれに限定されず、携帯端末専用のコンテンツサーバが提供するシンジケート標準データを利用する事も可能である。ＰＣ向けと携帯端末向けを混在させることもでき、非常に柔軟にインターネット上の情報を入手することができる。【００７４】
尚、本発明の配信システムは、上記した実施の形態に限定されるものではなく、本発明の要旨を逸脱しない範囲内において種々変更を加え得ることは勿論である。
【産業上の利用可能性】
【００７５】
本発明によれば、携帯端末によってシンジケート型の情報収集が可能になる。
【図面の簡単な説明】
【００７６】
【図１】本発明の実施の形態の例に係る配信システムのシステム構成図
【図２】同配信システムで利用されるシンジケート標準データのサンプルを示す構成図
【図３】同配信システムにおける管理サーバの内部構成を示すブロック図
【図４】同配信システムにおける機能構成を示すブロック図
【図５】同配信システムで利用される２次元コードの格納情報を示す概念図
【図６】同配信システムにおける携帯端末に配信される閲覧申込画面を示すサンプル図
【図７】同配信システムにおける管理サーバの動作の一部を示すフローチャート図
【図８】同配信システムにおける携帯端末に配信される端末個別ページを示すサンプル図
【図９】同配信システムにおける強制更新画面を示すサンプル図
【符号の説明】
【００７７】
１          携帯用シンジケート型情報配信システム
２          コンテンツサーバ
４          管理サーバ
６          携帯電話
７          コンテンツ変換サーバ
８          シンジケート標準データ
２０        ２次元コード
２２        雑誌
２４        データ入手部
２５        登録管理部
２６        シンジケート変換配信部
４０        強制更新処理部
【図１】
2007018202.tif 000002
【図２】
2007018202.tif 000003
【図３】
2007018202.tif 000004
【図４】
2007018202.tif 000005
【図５】
2007018202.tif 000006
【図６】
2007018202.tif 000007
【図７】
2007018202.tif 000008
【図８】
2007018202.tif 000009
【図９】
2007018202.tif 000010
【国際調査報告】
2007018202.tif 000011
2007018202.tif 000012
2007018202.tif 000013
2007018202.tif 000014